(57)【特許請求の範囲】
【請求項１】
人体の性器部及び臀部の屈曲に対応される形状を持ち、人体の性器部に対応する小便処理部と、人体の臀部に対応する大便処理部を含み、人体の性器部及び臀部方向に開放されて人体から排出される排泄物を受け取る処理空間が形成された安着部と、人体の脚の間に装着されるように前記安着部と繋がって、内部に収容空間が形成された本体部を含むボディー体；
前記収容空間に備えられ、前記処理空間と連通されて前記処理空間の排泄物を外部へ排出させる排出流路；及び
前記処理空間に露出されて洗浄水を噴射し、前記小便処理部に露出された上部ノズルを含む噴射部；
を含み、
前記ボディー体は、
前記小便処理部を含んで着脱できるように備えられる性別専用モジュールを含み、
前記性別専用モジュールが男性用モジュールである場合、前記男性用モジュールは、内部に前記大便処理部と区切られる小便処理部が形成され、男性の性器の周りを包むように形成され、前記ボディー体に直接的に嵌められて結合されており；
前記性別専用モジュールが女性用モジュールである場合、前記女性用モジュールは、前記大便処理部と連通される小便処理部が形成され、女性の性器部の屈曲に対応されるように形成され、前記ボディー体に直接嵌められて結合されており、
前記女性用モジュールは、前記上部ノズルに前記洗浄水を供給するための伝達流路と、前記伝達流路と対称な形で前記女性用モジュールを前記ボディー体に結合させる補助結合具とを備える排泄物処理装置。
【請求項２】
前記男性用モジュールは、
前記性器挿入ユニットを前記ボディー体に連結させる連結ユニットを含む請求項１に記載の排泄物処理装置。
【請求項３】
前記収容空間に備えられ、外部から流入された洗浄水を前記噴射部に供給する流路切替部を含む請求項１に記載の排泄物処理装置。
【請求項４】
前記噴射部は、
前記大便処理部に露出された回転ノズルを含む請求項１に記載の排泄物処理装置。
【発明の詳細な説明】
【技術分野】
【０００１】
本発明は、人体から排泄される排泄物を自動処理する排泄物処理装置に係り、より詳しくは、性別によって異なる性別専用モジュールを装着して使用できる性別専用モジュールを含む排泄物処理装置に関する。
【背景技術】
【０００２】
一般に、患者、お年寄りなど、挙動が不自由、又は下体を思うまま動かしにくい人々は、自ら排泄物を処理できる能力がないので、常に保護者または介護人が周りに居つづけなければならないという不便さがあった。
【０００３】
よって、このような不便さを解消するために、身体に直接接触して排泄物を取る排泄物処理器が研究及び開発されている。このような排泄物処理器は、使用者の排泄物を受け取り、これを吸入して外部へ排出させるように設計され、使用者の周りに保護者または介護人がいなくても自動的に排泄物を処理できるようにする。
【０００４】
ただし、今まで開発された従来の排泄物処理器は、排泄物の処理機能のみに集中することが多くて、使用者の身体を考慮せずに設計されたため、非常に使用性が低いという問題があった。一般に、排泄物が排泄される臀部、または性器の周りは、屈曲が大きいので排泄物処理器に密着しにくい構造であり、これによって排泄物が人体と排泄物処理器の間から漏れることが多く発生している。
【０００５】
また、患者またはお年寄りなど、排泄物処理器を使う使用者は、ベッドに横になった状態で生活する場合が多くて、自ら姿勢を変えられない状況も多く発生している。このような状態が長期間続く場合は、床ずれなどが発生するので、周期的に姿勢を変える必要がある。しかし、排泄物処理器を着用した状態では姿勢を変えることができないので、排泄物処理器をとり除かなければならない煩わしさがあった。
【０００６】
さらに、性別によって身体の形状が大きく異なって形成されているので、性別によって構造を変える必要があるが、従来は性別に特化された排泄物処理器に対して研究及び開発されたことがなかったため不便であった。
【０００７】
したがって、このような問題点を解決するための方法が求められる。
【発明の概要】
【発明が解決しようとする課題】
【０００８】
本発明は、前述した従来技術の問題点を解決するために案出された発明であって、使用者が着用した状態で排泄物の漏れを防止し、着用感を向上させることができる排泄物処理装置を提供するものである。
【０００９】
また、着用した状態でも動きに制限を受けない排泄物処理装置を提供するものである。
【００１０】
そして、性別に合わせて特化された構造を提供できる排泄物処理装置を提供するものである。
【００１１】
本発明の課題は、以上で言及した課題に制限されず、言及されていない他の課題は以下の記載から当業者に明確に理解できる。
【課題を解決するための手段】
【００１２】
前記目的を達成するための本発明の性別専用モジュールを含む排泄物処理装置は、人体の性器部及び臀部の屈曲に対応される形状を持ち、人体の性器部に対応される小便処理部と、人体の臀部に対応される大便処理部を含み、人体の性器部及び臀部方向に開放されて人体から排出される排泄物を受け取る処理空間が形成された安着部と、人体の脚の間に装着されるように前記安着部と繋がって、内部に収容空間が形成された本体部を含むボディー体、及び前記収容空間に備えられ、前記処理空間と連通されて前記処理空間の排泄物を外部へ排出させる排出流路を含み、前記ボディー体は、前記小便処理部を含んで着脱できるように備えられる性別専用モジュールを含む。
【００１３】
そして、前記性別専用モジュールは、男性用モジュール及び女性用モジュールのうち、少なくともいずれか一つを含むことができる。
【００１４】
また、前記男性用モジュールは、内部に前記小便処理部が形成され、男性の性器の周りを包むように形成された性器挿入ユニットを含むことができる。
【００１５】
そして、前記小便処理部は前記大便処理部と区切られることができる。
【００１６】
また、前記男性用モジュールは、前記性器挿入ユニットを前記ボディー体に連結させる連結ユニットを含むことができる。
【００１７】
そして、前記女性用モジュールは、前記大便処理部と連通される小便処理部が形成され、女性の性器部の屈曲に対応されるように形成された安着ユニットを含むことができる。
【００１８】
また、前記処理空間に露出されて洗浄水を噴射する噴射部を含むことができる。
【００１９】
そして、前記収容空間に備えられ、外部から流入された洗浄水を前記噴射部に供給する流路切替部を含むことができる。
【００２０】
また、前記噴射部は、前記小便処理部に露出された上部ノズルを含むことができる。
【００２１】
そして、前記噴射部は、前記大便処理部に露出された回転ノズルを含むことができる。
【発明の効果】
【００２２】
前記課題を解決するための本発明の性別専用モジュールを含む排泄物処理装置は、次のような効果を奏する。
【００２３】
第一、安着部が使用者の性器部及び臀部の屈曲に対応されるように形成されて使用者の身体に密着することができるので、使用者が着用した状態で排泄物の漏れを防ぐことができる長所がある。
【００２４】
第二、本体部も使用者の脚の間の幅に対応される大きさを持つので、使用者の姿勢を自然に維持することができる長所がある。
【００２５】
第三、これによって使用者の着用感が大きく向上する長所がある。
【００２６】
第四、着用した状態でも使用者が動きに制限を受けないし、姿勢を自由に変更することができる長所がある。
【００２７】
第五、性別によって構造が特化された性別専用モジュールを提供するので、患者の性別による身体形状に対応されるように構造を変更できる長所がある。
【００２８】
本発明の効果は以上で言及した効果に制限されず、言及されていない別の効果は特許請求範囲の記載から当業者が明確に理解することができる。
【図面の簡単な説明】
【００２９】
【図１】本発明の一実施例による排泄物処理装置の全体姿を示す斜視図。
【図２】本発明の一実施例による排泄物処理装置を人体に着用した姿を示す側面図。
【図３】本発明の一実施例による排泄物処理装置の安着部にパッドを付着させる姿を示す斜視図。
【図４】本発明の一実施例による排泄物処理装置を正面視した姿を示す正面図。
【図５】本発明の一実施例による排泄物処理装置において、本体部の内部構造を示す断面図。
【図６】本発明の一実施例による排泄物処理装置において、男性用モジュールの分解構造を示す斜視図。
【図７】本発明の一実施例による排泄物処理装置において、男性用モジュールに備えられた補助ノズルの姿を示す斜視図。
【図８】本発明の別の実施例による排泄物処理装置の全体姿を示す斜視図。
【図９】本発明の別の実施例による排泄物処理装置の安着部にパッドを付着させる姿を示す斜視図。
【図１０】本発明の別の実施例による排泄物処理装置において、女性用モジュールの分解構造を示す斜視図。
【図１１】本発明の別の実施例による排泄物処理装置において、女性用モジュールに備えられた上部ノズルの姿を示す斜視図。
【発明を実施するための形態】
【００３０】
以下、本発明の目的が具体的に実現できる本発明の望ましい実施例を添付図面を参照にして説明する。本実施例を説明するにあたり、同じ構成に対しては同じ名称及び同じ符号が使われるし、これによる付加的説明は省略する。
【００３１】
図１は、本発明の一実施例による排泄物処理装置１の全体姿を示す斜視図である。
【００３２】
図１に示すように、本発明の一実施例による人体に合わせた排泄物処理装置１は、安着部１００と本体部２００を含むボディー体と排出流路２１０を含む。そして、前記ボディー体は、着脱できるように備えられる性別専用モジュールを含むことができる。前記性別専用モジュールは、男性用モジュール及び女性用モジュールのうち少なくとも一つを含み、本実施例の場合、男性用モジュールが装着された形態を持つ。
【００３３】
安着部１００は、人体の性器部及び臀部の屈曲に対応される形状を持ち、人体の性器部及び臀部方向に開放されて人体から排出される排泄物をもらう処理空間Ｔ１、Ｔ２が形成される。
【００３４】
ここで、人体の性器部とは男女の性器の周りの領域を意味し、臀部は前記性器部と繋がって、肛門の周りの領域を意味する。すなわち、安着部１００は人体の股座に安着されるように形成され、その屈曲に対応されるように曲線状を持つ。
【００３５】
そして、処理空間Ｔ１、Ｔ２は、小便及び大便を含む排泄物を受け取ることができるように所定の体積を持つように形成され、本実施例の処理空間Ｔ１、Ｔ２は、人体の性器部に対応される小便処理部Ｔ２と、人体の臀部に対応される大便処理部Ｔ１を含む。
【００３６】
つまり、本実施例の場合、処理空間Ｔ１、Ｔ２が男性用モジュール３００によって区切られて小便と大便を別途処理するように構成される。ただし、女性が排泄物処理装置１を使う場合、本実施例と違って男性用モジュール３００の代わりに女性用モジュールを装着して使うこともできることは勿論である。前記女性用モジュールの場合、小便処理部と大便処理部が区切られずに繋がるように形成されることができる。これについては後述する。
【００３７】
本体部２００は、排泄物処理装置１を着用する時に人体の脚の間に装着されるように安着部１００と繋がる。すなわち、使用者は安着部１００を性器部及び臀部に密着させた状態で、本体部２００の両側に脚を伸ばして安定的に排泄物処理装置１を着用することができる。
【００３８】
そして、本図面では示していないが、本体部２００の内部には収容空間が備えられ、前記収容空間には各種構成要素が備えられることができる。これについては後述する。
【００３９】
一方、以下の説明の便宜のために、処理空間Ｔ１、Ｔ２の開放された方向側を前方と定義し、反対方向を後方と定義する。また、小便処理部Ｔ２が備えられた方向を上部、反対方向を下部と定義する。
【００４０】
排出流路２１０は前記収容空間に備えられ、処理空間Ｔ１、Ｔ２と連通されて処理空間Ｔ１、Ｔ２の排泄物を外部へ排出させる構成要素である。特に、本実施例において、本体部２００の後方には外部の連結管が前記収容空間の内側に引き込まれるようにする通過穴２０２が形成される。
【００４１】
前記連結管は、別途の吸入装置を利用して排泄物を吸い込むように連結された排泄物流動管、洗浄水を供給する洗浄水流動管などを含むことができる。つまり、排出流路２１０は排泄物流動管と繋がって排泄物を外部へ排出できるようになる。
【００４２】
図２は、本発明の一実施例による排泄物処理装置１を人体に着用した姿を示す側面図である。
【００４３】
図２に示すように、使用者はベッドなどに横になった状態で安着部１００を性器部及び臀部に密着させて、本体部２００の両側に脚を伸ばして安定的に排泄物処理装置１を着用することができる。このように本発明の一実施例による排泄物処理装置１は、人体の形状に対応されるように形成されるので、使用者が排泄物処理装置１に合わせて姿勢をむりやり変更する必要がなく、自然な姿勢を維持することができる。
【００４４】
しかも、使用者が姿勢を側方など多様に変更する場合も離脱されずに使用者の身体に沿って移動されることができ、使用者が動く場合も脚の間に位置された状態で動くことに支障を与えない。
【００４５】
図３は、本発明の一実施例による排泄物処理装置１の安着部１００にパッド２０を付着させる姿を示す斜視図である。
【００４６】
図３に示すように、本発明の一実施例による人体に合わせた排泄物処理装置１は、安着部１００の周りを包むように脱着できるように備えられるパッド２０を含むことができる。パッド２０は、布などの材質で形成されて使用者の着用感を向上させることができ、また排泄物処理装置１を使用者の身体に安定的に固定させることができる。
【００４７】
本実施例の場合、パッド２０は包み部２２と羽部２４を含む。包み部２２は安着部１００の下部側に付着して使用者の臀部を包むように形成され、羽部２４は安着部１００の周りを包むように付着する。一方、パッド２０を安着部１００に付着させるために、安着部１００とパッド２０にはベルクロ（登録商標）が備えられることがある。つまり、安着部ベルクロ１０２とパッド側ベルクロ２６が相互対応されるように形成されてパッド２０を容易に付着することができる。そして、本実施例の場合、各羽部２４には固定ベルクロ２８がそれぞれ備えられ、各羽部２４を相互固定させることができる。
【００４８】
図４は、本発明の一実施例による排泄物処理装置１を正面視した姿を示す正面図である。
【００４９】
図４には安着部１００の処理空間Ｔ１、Ｔ２がより詳しく示される。前述のように、本実施例における処理空間Ｔ１、Ｔ２は、小便処理部Ｔ２と大便処理部Ｔ１を含み、処理空間Ｔ１、Ｔ２には排泄物を処理するための多様な構成要素を備えさせることができる。
【００５０】
噴射部は、処理空間Ｔ１、Ｔ２に露出されて洗浄水を噴射する構成要素であって、一つ以上の噴射ノズルを含むことができる。本実施例の場合、前記噴射部は大便処理部Ｔ１ 側に洗浄水を噴射する回転ノズル２４０と、補助ノズル３３４と、本図面には示されていないが小便処理部Ｔ２側で洗浄水を噴射する上部ノズルを含む。
【００５１】
すなわち、回転ノズル２４０は角度を調節できるように形成されて人体の臀部の周りを洗浄し、補助ノズル３３４は大便処理部Ｔ１の表面を洗浄できるように洗浄水を散布する。また、上部ノズルは性器部及び小便処理部Ｔ２の表面を洗浄できるように洗浄水を噴射する。
【００５２】
そして、本実施例において、処理空間Ｔ１、Ｔ２には乾燥風が流動されて噴射される乾燥風噴射口２３２がさらに形成されるし、これによって洗浄後に水分を速かに乾燥させることができる。
【００５３】
一方、図面に示すように、安着部１００と本体部を含むボディー体は、前方から見たとき、上部の幅ｄ１が下部の幅ｄ２より狭く形成される。つまり、人体の大腿部部分の屈曲に対応される形状を持ち、これによって、使用者の両脚は排泄物処理装置１のボディー体の両側に安定的に密着することができる。また、ボディー体は使用者の脚の間の幅と対応される幅を持つように形成され、使用者がむりやり股を開くことなく自然な姿勢を取ることができる。
【００５４】
そして、本実施例で安着部１００の周りには使用者の身体に密着される密着部材１１０が備えられる。密着部材１１０は、安着部１００の周りのラインに沿って帯状に備えられ、着用感を向上させることができる。
【００５５】
図５は、本発明の一実施例による排泄物処理装置１において、本体部２００の内部構造を示す断面図である。
【００５６】
図５に示すように、本体部２００の内部には収容空間が形成され、前記収容空間には多様な構成要素が備えられることができる。本実施例の場合、前記収容空間には前述の排出流路２１０を始め、流路切替部２２０と送風部２３０が備えられる。
【００５７】
排出流路２１０は、通過穴２０２を通じて流入された排泄物流動管Ｈ１と繋がって排泄物を外部へ排出させることができる。特に、本実施例の場合、男性用モジュール３００側で受け取った小便は補助排出流路２２８を通じて排出流路２１０に流入できるように形成される。
【００５８】
そして、前記流路切替部２２０は通過穴２０２を通じて流入された洗浄水流動管Ｈ２と繋がって外部から洗浄水を伝達してもらう構成要素であり、ソレノイドバルブなどを通じて洗浄水を複数の噴射ノズル側に分枝させて供給することができる。具体的に、本実施例の場合、流路切替部２２０に貯蔵された洗浄水は第１供給流路２２４を通じて回転ノズル側に、第２供給流路２２６を通じて補助ノズル及び上部ノズル側に流動されることができる。
【００５９】
送風部２３０は、前記処理空間に乾燥風を送る構成要素であって、送風ファンなどで乾燥風を発生させ、前述の乾燥風噴射口を通じて処理空間側に乾燥風を送ることができる。また、乾燥風の昇温のためにヒーターがさらに備えられることもできる。
【００６０】
そして、本実施例において、本体部２００の後面には外部の空気を流動させて収容空間の内部を換気することができる空気流入口２０４が形成される。
【００６１】
以下では、本実施例で備えられる男性用モジュール３００についてより詳しく説明する。
【００６２】
図６は、本発明の一実施例による排泄物処理装置において、男性用モジュール３００の分解構造を示す斜視図である。
【００６３】
図６に示すように、本実施例において、男性用モジュール３００は内部に小便処理部Ｔ２が形成され、男性の性器の周りを包むように形成された性器挿入ユニット３１０と、性器挿入ユニット３１０を前記ボディー体に連結する連結ユニット３２０を含むことができる。
【００６４】
すなわち、性器挿入ユニット３１０は男性の性器の形態に対応される形状を持ち、男性の性器が挿入された状態で小便を受け取ることができるように形成される。これによって動きの自由度が高い男性の性器を安定的に固定させることができるので、性器の方向によって小便が無分別に排出されることを防止し、最小限の範囲だけを汚染させることで済む。
【００６５】
そして、本実施例の場合、小便処理部Ｔ２は男性用モジュール３００によって大便処理部Ｔ１と区切られるように形成されるし、小便は前述の補助排出流路を通じて排出流路に流入されることができる。すなわち、これによって小便が大便処理部Ｔ１に流入されて使用者の臀部を汚染させることを防ぐことができる。
【００６６】
このように、本実施例では男性用モジュール３００の小便処理部Ｔ２は大便処理部Ｔ１と区切られるように形成されるが、本発明はこれに限定されない。すなわち、本実施例と違って、小便処理部Ｔ２は大便処理部Ｔ１と連通されることもあり、このような場合、補助排出流路が別途備えられないこともある。
【００６７】
図７は、本発明の一実施例による排泄物処理装置において、男性用モジュールに備えられた補助ノズル３３４の姿を示す斜視図である。
【００６８】
図７に示すように、男性用モジュールには大便処理部Ｔ１側に露出されて洗浄水を噴射する補助ノズル３３４が備えられることができる。補助ノズル３３４は大便処理部Ｔ１の上部に備えられるので、大便処理部Ｔ１の表面を全体的に円滑に洗浄することができる。
【００６９】
この時、補助ノズル３３４に供給される洗浄水は、前述の第２供給流路から男性用モジュールに流入されて補助ノズル３３４側に分枝される。
【００７０】
一方、男性用モジュールの下部には、ボディー体側の密着部材と連結される補助密着部材３３２が備えられる。補助密着部材３３２は、男性用モジュールをボディー体に結合した状態でボディー体側の密着部材と接触するように備えられ、大便処理部Ｔ１をシーリングすることができる。
【００７１】
以上、男性用モジュールについて説明したが、以下では、女性用モジュールが備えられた形態の別の実施例について説明する。
【００７２】
図８は、本発明の別の実施例による排泄物処理装置２の全体姿を示す斜視図である。
【００７３】
図８に示すように、本発明の別の実施例による排泄物処理装置２のボディー体は女性用モジュール４００を含む。前記女性用モジュール４００以外の別の構成要素に対する事項は前述の一実施例と同じなので、以下では女性用モジュール４００に対してのみ説明する。
【００７４】
女性用モジュール４００は、大便処理部Ｔ１と連通される小便処理部Ｔ３が形成され、女性の性器部屈曲に対応するように形成される。つまり、女性の場合は男性と違って性器の動きがないため、大便処理部Ｔ１と連通される小便処理部Ｔ３が一つの空間で連通され、小便及び大便を同時に受け取ることができるように形成される。したがって、男性用モジュールの場合と違い、小便及び大便は全て排出流路２１０に流入して排出することができる。
【００７５】
図９は、本発明の別の実施例による排泄物処理装置の安着部１００にパッド３０を付着させる姿を示す斜視図である。
【００７６】
図９に示すように、女性用モジュール４００が結合された本実施例の場合、安着部ベルクロ１０２は女性用モジュール４００側まで延長され、パッド側ベルクロも安着部ベルクロ１０２の長さに対応するように形成され、安着部１００全体の周りを包むように付着することができる。そして、包み部３２及び固定ベルクロ３８は前述の一実施例と同様に形成される。
【００７７】
図１０は、本発明の別の実施例による排泄物処理装置において、女性用モジュールの分解構造を示す斜視図である。
【００７８】
図１０に示すように、本実施例における女性用モジュール４００は、内部に小便処理部Ｔ３が形成され、女性の性器部の屈曲に対応するように形成された安着ユニット４１０を含む。前述のように、小便処理部Ｔ３は大便処理部と連通できるように下部が開放された状態を持つ。
【００７９】
そして、本実施例の場合、安着ユニット４１０が身体に接触される部分には、ボディー体の密着部材と連結される補助密着部材４３２が備えられる。女性用モジュール４００の補助密着部材４３２は男性用モジュールに備えられた補助密着部材とは違って、ボディー体の密着部材を延長させる形態で形成され、女性用モジュール４００がボディー体に結合された状態で密着部材とともに閉曲線形態をなすように形成される。
【００８０】
図１１は、本発明の別の実施例による排泄物処理装置において、女性用モジュール４００に備えられた上部ノズル４５０の姿を示す斜視図である。
【００８１】
図１１に示すように、女性用モジュール４００には上部ノズル４５０が備えられることができる。上部ノズル４５０は女性用モジュール４００の内側に備えられ、使用者が排泄物処理装置を着用した状態で上部から洗浄水を噴射し、性器部及び処理空間を洗浄することができる。
【００８２】
そして、女性用モジュール４００には上部ノズル４５０に洗浄水を供給するため、前述の第２供給流路から洗浄水を伝達してもらう伝達流路４２０が備えられることができる。この時、本実施例では伝達流路４２０と対称な形で女性用モジュール４００をボディー体に安定的に結合させることができる補助結合具４２２をさらに形成することができる。
【００８３】
以上で説明したように、本発明は性別によって構造が特化した性別専用モジュールを提供するので、患者の性別による身体形状に対応されるように構造を変更することができる。
【００８４】
以上のように、本発明による望ましい実施例を察してみたが、前述した実施例の他にも本発明がその趣旨や範疇から脱することなく、別の特定形態で具体化できるという事実は、当該技術分野における通常の知識を有する者には自明なことである。したがって、前述した実施例は制限的なものではなく例示的なものとされるべきであり、これによって、本発明は前述した説明に限定されず、添付の請求項の範疇及びそれと同等な範囲内で変更されてもよい。
【図１】
0006534749.tif 000002
【図２】
0006534749.tif 000003
【図３】
0006534749.tif 000004
【図４】
0006534749.tif 000005
【図５】
0006534749.tif 000006
【図６】
0006534749.tif 000007
【図７】
0006534749.tif 000008
【図８】
0006534749.tif 000009
【図９】
0006534749.tif 000010
【図１０】
0006534749.tif 000011
【図１１】
0006534749.tif 000012